(57)【特許請求の範囲】
【請求項１】
表示領域と、走査線駆動回路が存在する周辺領域とが配置した基板を有する表示装置であって、
前記走査線駆動回路は、クロック信号を供給するクロック配線群と電源を供給する第１の電源線を有する第１の配線群と、第２の電源線を有する第２の配線群と、各々が５個以上のトランジスタを有する複数の単位回路によって構成され、
前記複数の単位回路は、前記周辺領域において、平面で視て、前記第１の配線群と前記第２の配線群の間に存在し、
前記第２の配線群は、平面で視て、前記複数の単位回路と前記表示領域との間に存在し、
前記第１の電源線は、平面で視て、前記第１の配線群のうちで、前記複数の単位回路に最も近接し、
前記第２の電源線は、平面で視て、前記第２の配線群のうちで、前記複数の単位回路に最も近接し、
前記クロック配線群は、平面で視て、前記第１の電源線と前記基板の端部との間に存在し、
前記複数の単位回路は、お互いに隣り合う第１の単位回路と第２の単位回路を有し、
前記第１の単位回路と前記第２の単位回路は連結配線によって接続し、
前記連結配線は、平面で視て、前記第１の電源線と前記第２の電源線との間に存在し、
前記第１の単位回路と前記第２の単位回路とは、互いに第２の方向において隣接しており、前記第１の単位回路と前記第２の単位回路とは前記第２の方向と交差する方向である第１の方向に、互いにシフトしていることを特徴とする表示装置。
【請求項２】
コモン配線は、前記第２の配線群と前記表示領域との間に存在し、
前記第２の配線群は、リセット信号を前記複数の単位回路に供給するリセット線を有し、
前記リセット線は、平面で視て、前記第２の電源線と前記コモン配線との間に存在していることを特徴とする請求項１に記載の表示装置。
【請求項３】
前記第１の電源線と前記第２の電源線との間に存在する前記第１の単位回路の前記第１の方向における第１の幅は、前記第１の電源線と、前記第２の電源線との間に存在する前記第２の単位回路の前記第１の方向における第２の幅と実質的に同一であることを特徴とする請求項２に記載の表示装置。
【請求項４】
前記複数の単位回路の各々は、前記第１の配線群または前記第２の配線群と接続する接続配線群を有していることを特徴とする請求項３に記載の表示装置。
【請求項５】
前記クロック配線群の各々は、前記第１の方向に延在するＸ部分と、前記第１の方向とは異なる前記第２の方向に延在するＹ部分を有し、
前記第１の単位回路と前記クロック配線群のうちの第１のクロック配線とを接続する、前記接続配線群のうちの第１の接続配線は、前記第１のクロック配線のうち、前記第２の方向に延在するＹ部分と接続し、
前記第２の単位回路と前記クロック配線群のうちの第２のクロック配線とを接続する、前記接続配線群のうちの第２の接続配線は、前記第２のクロック配線のうち、前記第１の方向に延在するＸ部分と接続していることを特徴とする請求項４に記載の表示装置。
【請求項６】
前記クロック配線群のうちの第１のクロック配線は、前記第１の方向に延在するＸ部分を有し、かつ、前記第２の方向に延在するＹ部分を有し、
前記接続配線群のうちの第１の接続配線は、前記第１の方向に延在するＸ部分を有し、かつ、前記第２の方向に延在するＹ部分を有し、
前記第１の接続配線のＹ部分は、前記第１のクロック配線のＹ部分と接続し、前記第１の接続配線のＸ部分は、前記第１の単位回路と接続し、
前記第１の単位回路のトランジスタは、平面で視て、前記第１の接続配線と、前記連結配線との間に存在していることを特徴とする請求項４に記載の表示装置。
【請求項７】
前記第１の電源線の前記第１の方向の幅は、前記第２の電源線の前記第１の方向の幅よりも小さく、
前記コモン配線の前記第１の方向の幅は、前記第２の電源線の前記第１の方向の幅よりも大きいことを特徴とする請求項６に記載の表示装置。
【発明の詳細な説明】
【技術分野】
【０００１】
本発明は表示装置に係り、特に表示領域および外形が矩形ではない表示装置に関する。
【背景技術】
【０００２】
表示装置の一つである液晶表示装置では、画素電極および薄膜トランジスタ（ＴＦＴ）等を有する画素がマトリクス状に形成されたＴＦＴ基板と、ＴＦＴ基板に対向して対向基板が配置され、ＴＦＴ基板と対向基板との間に液晶が挟持されている。そして液晶分子による光の透過率を画素毎に制御することによって画像を形成している。液晶表示装置はフラットで軽量であることから、色々な分野で用途が広がっている。
【０００３】
液晶表示装置に表示領域や外形は矩形のものが多いが、自動車に使用される表示装置、種々のゲーム等に使用される表示装置等では、表示領域や装置の外形が矩形でない表示装置に対する要求も存在する。表示領域が矩形でない場合は、矩形の場合に比べ、周辺駆動回路のレイアウトが複雑になる。特許文献１には、表示装置が矩形でない場合であっても、走査線駆動回路を同一のシフトレジスタの繰り返しによって形成した構成が記載されている。
【先行技術文献】
【特許文献】
【０００４】
【特許文献１】特開２００８−２９２９９５号公報
【発明の概要】
【発明が解決しようとする課題】
【０００５】
表示領域が矩形でないと表示装置の周辺に配置される周辺回路や配線のレイアウトは、表示領域が矩形である場合とは異なってくる。また、表示装置が矩形でないと、表示領域が矩形の場合には生じなかった問題が生ずる。以後、矩形でない表示領域を異形表示領域といい、パネルの外形が矩形でない表示パネルを異形表示パネルという。
【０００６】
異形表示パネルの場合でも、高い解像度を要求される場合が多い。画面縦方向の解像度は、一般には走査線の数によって決まり、画面横方向の解像度は映像信号線の数によって決まる。走査線駆動回路はシフトレジスタで構成される単位走査線駆動回路の繰り返しによって形成されている。
【０００７】
もっとも単純なシフトレジスタは４個のトランジスタ、ＶＤＤ、ＶＳＳ、２個のクロック（２相クロック）で構成することが出来る。しかし、縦方向の解像度が増加するにしたがって、付加的な機能を有するトランジスタを追加し、また、回路を合理的にレイアウトするために、３相以上のクロックを使用することがある。
【０００８】
一方、外形のサイズは一定のまま、表示領域のサイズを大きくしたいという要求があり、この場合、いわゆる額縁の幅を小さくする必要がある。走査線駆動回路は表示領域の外側に形成されるが、配線の数やトランジスタの数が多くなると、狭額縁とすることが困難になる。これを対策するために、通常の矩形画面の場合には、配線と配線の間にトランジスタを配置することによって、レイアウト面積を節約している。
【０００９】
しかし、異形表示パネルの場合、配線を異形表示領域に沿わせて配置する必要があるので、画面が矩形の場合における額縁を狭くするレイアウトが必ずしも、異形パネルの場合に額縁を小さくするとは限らない。本発明の課題は、異形表示領域で、走査線の数が多い場合でも、額縁の幅を小さくすることを可能とする回路配置を実現することである。
【課題を解決するための手段】
【００１０】
本発明は上記課題を克服するものであり、主な具体的な手段は次のとおりである。
【００１１】
（１）表示領域が矩形ではない、異形表示領域を有する表示装置であって、前記異形表示領域に沿って走査線駆動回路が形成され、前記走査線駆動回路は、３相以上のクロックを供給するクロック配線及び電源を供給する電源配線を有するバス配線群と、トランジスタを５個以上含むシフトレジスタを構成する単位回路によって構成され、前記バス配線と前記単位回路は別領域に形成され、前記バス配線と前記単位回路は交差しないことを特徴とする表示装置。
【００１２】
（２）前記クロックは４相であることを特徴とする（１）に記載の表示装置。
【００１３】
（３）前記単位回路と前記バス配線群は隣り合って配置されていることを特徴とする（１）に記載の表示装置。
【００１４】
（４）前記バス配線群は、第１のバス配線群と第２のバス配線群に分けられ、前記第１のバス配線群と前記第２のバス配線群との間に前記単位回路が配置していることを特徴とする（１）に記載の表示装置。
【００１５】
（５）前記単位回路および前記バス配線群が形成された領域と、前記異形表示領域との間にはコモン配線が形成されていることを特徴とする（１）に記載の表示装置。
【００１６】
（６）前記走査線駆動回路を構成する前記単位回路は、同一のレイアウトによって形成されていることを特徴とする（１）に記載の表示装置。
【００１７】
（７）前記表示装置は、外形が矩形ではない、異形表示パネルを有することを特徴とする（１）乃至（６）のいずれかに記載の表示装置。
【００１８】
（８）前記表示装置は、液晶表示装置であることを特徴とする（１）乃至（６）のいずれかに記載の表示装置。
【図面の簡単な説明】
【００１９】
【図１】異形表示パネルの例である。
【図２】異形表示領域の周辺部に走査線駆動回路が配置された例である。
【図３】走査線駆動回路の単位回路の等価回路の例である。
【図４】走査線駆動回路の構成例である。
【図５】走査線駆動回路に供給されるクロックが４相である場合のタイミングチャートの例である。
【図６】外形および表示領域が矩形の場合の表示装置の平面図である。
【図７】表示領域が矩形の場合の、バス配線と単位回路の配置例である。
【図８】異形表示パネルにおいて本発明を使用しない場合の単位回路とバス配線の配置例である。
【図９】本発明による単位回路とバス配線の配置例である。
【図１０】本発明を使用した場合のバス配線と単位回路のレイアウトの例である。
【図１１】同一単位回路を使用する場合のバス配線と単位回路の関係を示す例である。
【図１２】同一単位回路を使用する場合のバス配線と単位回路の関係を示す他の例である。
【図１３】同一単位回路を使用する場合のバス配線と単位回路の関係を示すさらに他の例である。
【図１４】単位回路とバス配線の位置関係を示す例である。
【図１５】単位回路とバス配線の位置関係を示す他の例である。
【図１６】単位回路とバス配線の位置関係を示すさらに他の例である。
【図１７】異形表示パネルの他の例である。
【図１８】本発明による単位回路とバス配線の配置の他の例である。
【発明を実施するための形態】
【００２０】
以下に実施例を用いて本発明を詳細に説明する。
【実施例１】
【００２１】
図１は異形表示パネルの例である。図１は、表示領域１０００、外形とも、上下が直線で、側部が曲線であるようなレーストラック状となっている。図１はＴＦＴや走査線、映像信号線が形成されているＴＦＴ基板側の平面図である。図１において、表示領域１０００には、横方向に走査線１１が延在し、縦方向に映像信号線３１が延在し、走査線１１と映像信号線３１で囲まれた領域に画素が形成されている。
【００２２】
図１において、表示領域１０００より下側には、セレクタ２０とＩＣドライバ３０とが配置されている。ＩＣドライバ３０よりも外側には、フレキシブル配線基板と接続するための端子領域１５０存在している。表示領域１０００の映像信号線３１にはセレクタ２０を介してＩＣドライバ３０から映像信号が供給される。映像信号線３１は、表示領域１０００の横方向の画素分存在するが、ＩＣドライバ３０からセレクタ２０までの信号線の数は、例えば、映像信号線の数の１／３である。なお、映像信号線の数をＮｄとし、ＩＣドライバ３０からセレクタ２０までの信号線の数をＮｖとすると、Ｎｄ／Ｎｖ＝ｎで、ｎは２以上の整数となっている。なお、セレクタ２０は、映像信号線３１の数が多くなった場合、ＩＣドライバ３０と映像信号線３１とを接続する、いわゆる映像信号線引き出し配線の配線数を削減し、配線面積を節約する手段である。セレクタ２０は、ＩＣドライバから出力される信号を時分割で映像信号線３０に供給するスイッチが集積されたものであり、ＲＧＢスイッチと称される場合もある。本発明は、セレクタを使用しない場合にも適用することが出来る。
【００２３】
表示領域１０００の両側には、走査線１１に走査信号を供給するための走査線駆動回路１０が存在している。走査線駆動回路１０は、シフトレジスタで構成される単位回路の組み合わせで形成されている。単位回路は、走査線１１ごとに形成されている。走査線駆動回路１０は表示領域１０００に沿って形成される。
【００２４】
図２は、異形表示パネルの場合の単位回路１５の配置例である。図２のＲ、Ｇ、Ｂはそれぞれ赤画素、緑画素、青画素を示している。点線で囲まれた領域に単位回路１５が配置される。図２は、図１の表示領域における左下部分の端部の拡大である。図２に示すように、異形表示パネルにおける単位回路１５を走査線の延長線上に配置した場合、単位回路１５に信号等を供給する配線も異形表示領域に合わせて屈曲することになる。縦方向の解像度が増加するに従い、単位回路を構成するシフトレジスタも複雑となり、また、走査線駆動回路に必要なクロック配線数も多くなる。つまり、もっとも単純なシフトレジスタは４個のトランジスタ、ＶＤＤ、ＶＳＳ、２個のクロック（２相クロック）で構成することが出来るが、走査線の数が増大するに従い、単位回路を構成するトランジスタの数が５個以上、走査線駆動回路におけるクロック数が３相以上となる場合が生ずる。本発明は、このような場合において、異形表示領域の時に、走査線駆動回路の占める面積を最小にする構成を与えるものである。単位回路と表示領域との間には、画素に対して映像信号を時分割で供給するためのセレクタＳＥＬと、セレクタＳＥＬと映像信号線駆動回路とを接続する映像信号線引き出し線と、その他の配線（図２では、これらの配線をまとめてWGで表示している）と、が設けられている。
【００２５】
図３はシフトレジスタを構成する単位回路の例である。単位回路には、ＶＤＤ、ＶＳＳ、第１クロックＧＣＫ１、第２クロックＧＣＫ２、リセット信号ＲＥＳ、前段からの信号ＧＩＮ−１等が供給される。単位回路からは、ＶＯＵＴ１から走査線に走査信号が供給され、ＶＯＵＴ２から次段の単位回路に信号が供給される。ＶＯＵＴ１とＶＯＵＴ２は同期している。ＶＤＤはトランジスタＴ１０、Ｔ１１等に所定の電圧を供給し、Ｔ１０、Ｔ１１をＯＮ状態にして、Ｔ１０の端子間およびＴ１１の端子間を所定の電圧に保っている。また、Ｔ１０およびＴ１１の一方の端子が高電圧になる場合に、他方の端子との電圧差を緩和する役割がある。ＶＳＳは、一般には低電圧（Ｌｏｗ電圧／アース電圧）が供給される。
【００２６】
図３において、ＲＥＳにリセットパルスが供給されると、トランジスタＴ８がＯＮになり、このＯＮ信号がＴ１１を介してＴ６に供給され、低電位ＶＳＳがＶＯＵＴ１に供給される。また、このＯＮ信号がＴ１１を介してＴ１５に供給され、低電位ＶＳＳがＶＯＵＴ２に供給される。
【００２７】
図３において、走査信号は、第１クロックと同期して走査線に供給される。前段からＧＩＮ−１にパルスが供給されると、トランジスタＴ１、Ｔ５をＯＮにして低電位ＶＳＳがＶＯＵＴ１に供給され、また、Ｔ１４をＯＮさせて低電位ＶＳＳがＶＯＵＴ２に供給される。ここで、端子ＧＩＮ−１がＯＦＦになっても図３における端子Ｎｄ２はトランジスタＴ５、Ｔ１４に対しＯＮ状態を保つ電位となっている。
【００２８】
この状態は、ＧＣＫ１における第１クロックがＶＯＵＴ１およびＶＯＵＴ２に供給される状態となっている。つまり、第１クロックのパルスが走査信号としてＶＯＵＴ１に供給され、同時にＶＯＵＴ２から次段のシフトレジスタの単位回路に供給される。その後、ＧＣＫ２における第２クロックがＯＮになると、ノードＮｄ２にＶＳＳが供給されて、トランジスタＴ５およびＴ１４をＯＦＦにし、第１パルスが供給されるＧＣＫ１とＶＯＵＴ１およびＶＯＵＴ２から遮断される。
【００２９】
第２クロックがＯＮになるとトランジスタＴ３がＯＮになり、第２クロックの電位がＴ１１を介してノードＮｄ３に伝わり、トランジスタＴ６をＯＮし、ＶＳＳがＶＯＵＴ１に供給される。同時にノードＮｄ３の電位はトランジスタＴ１５をＯＮさせ、ＶＳＳがＶＯＵＴ２に供給される。第２クロックがＯＮになるごとにＶＯＵＴ１およびＶＯＵＴ２にＶＳＳすなわち低電位が供給され続けることになる。
【００３０】
図３における各トランジスタの役割は次のとおりである。Ｔ１は前段からの信号を転送するトランジスタであり、トランジスタＴ２は、トランジスタＴ５のゲートを固定するためのバッファトランジスタであり、Ｔ３はノードＮｄ３をチャージするためのトランジスタであり、トランジスタＴ４はゲート線の出力をＬｏｗに固定するためのトランジスタであり、Ｔ５はゲート線にＯＮ信号を供給するときのバッファトランジスタである。Ｔ６は非選択時のゲート線をＬｏｗに固定するためのトランジスタであり、Ｔ７は前段からの信号（ＧＩＮ−１）によってノードＮｄ３をＶＳＳに固定するトランジスタであり、Ｔ８はスタート信号ＲＥＳが入力されたときに、ノードＮｄ３をＨｉｇｈの状態にリセットするトランジスタであり、Ｔ９はゲート線をＬｏｗ状態にリセットするためのバッファトランジスタである。Ｔ１０およびＴ１１は端子間の電圧を緩和するためのトランジスタであり、Ｔ１４はゲート信号がＯＮの時に、次段への出力を転送するためのバッファトランジスタであり、Ｔ１５はゲート信号がＯＦＦの時に、ＶＯＵＴ２をＬｏｗに固定するためのトランジスタである。
【００３１】
走査線駆動回路は、以上で説明した単位回路を走査線の数分繰り返したものである。走査線の数が多くなると、回路数も多くなり、レイアウトの都合状、クロックを３相以上とし、そのうちから、各回路ユニットに、必要なクロックを取り出すことが行われる。図４は、クロックが４相である場合の走査線駆動回路の例である。
【００３２】
図４において、最初の段の単位回路はＶＳＲＩＮであり、２段目以下はＶＳＲ１が繰り返される。図４において、ＲＥＳ信号はＶＳＲＩＮのＧＩＮ−１端子にスタートパルスとして供給される。２段目以降のＧＩＮ−１には、前段のＶＯＵＴ２が供給される。図４において、ＶＣＫ１、ＶＣＫ２、ＶＣＫ３、ＶＣＫ４には位相の異なるクロックパルスが供給される。
【００３３】
図５は、スタートパルスであるＲＥＳとクロックパルスＶＣＫ１、ＶＣＫ２、ＶＣＫ３、ＶＣＫ４のタイミングチャートである。図４における単位回路は、ＧＣＫ１、ＧＣＫ２に対応して、ＶＣＫ１、ＶＣＫ３のペアあるいは、ＶＣＫ２、ＶＣＫ４のペアが使用されている。
【００３４】
トランジスタ４個で構成される単純なシフトレジスタであれば、回路配置の面積は大きな問題にはならない。しかし、図３〜図５で説明したように、高精細画面になると、走査線駆動回路においてトランジスタの数が増大し、また、配線数も増大する。図６は通常の矩形の液晶表示パネルの平面図である。図６において、矩形の表示領域１０００の両側に走査線駆動回路１０が配置し、下側にセレクタ２０、ＩＣドライバ３０、端子領域１５０等が配置している。
【００３５】
図６のような矩形パネルであれば、走査線駆動回路１０に電源や信号を供給するバス配線を直線的に規則的にレイアウトすることが出来るので、図７に示すように、バス配線とバス配線の間にトランジスタ等を配置することによって、走査線駆動回路１０の占める面積の増大を防ぐことが出来る。なお、図７の点線１００はパネル端を示している。すなわち、図７では、バス配線とバス配線の隙間に単位回路を構成するトランジスタ等を配置している。しかし、異形パネルの場合、異形表示領域に沿わせて走査線駆動回路を配置するので、走査線駆動回路を直線上に配置することが出来ない。
【００３６】
そうすると、図８に示すように、バス配線の屈曲が多くなる。図８におけるバス配線の屈曲部ＡＡには、配線間にトランジスタ等を配置することが困難である。単位回路１５内に領域ＡＡが存在すると、単位回路１５のスペースが大きくなり、結局、全体としては、走査線駆動回路の占める面積が大きくなり、額縁領域が大きくなってしまう。なお、図８の点線１００はパネル端を示している。
【００３７】
本発明はこの問題を対策するものであり、図９は、本発明の模式回路図である。図９において、シフトレジスタを構成する５個以上のトランジスタを有する単位回路１５はまとめられてバス配線群ＷＷとバス配線群ＷＷの間に配置されている。図９において、右側に配置されている幅の大きな配線はコモン電圧Ｖｃｏｍを供給する配線である。なお、図９の点線１００はパネル端を示している。
【００３８】
図９のような配置とすることによって、バス配線をまとめて最も面積の小さいレイアウトとし、また、単位回路１５は単位回路１５が配置される位置に合わせて最も小さい面積のレイアウトとすることが出来る。そして、異形表示領域の形状に合わせて、走査線駆動回路全体として、必要面積を最も小さくするレイアウトとすることが出来る。また、図９のような構成とすることによって、殆ど同じレイアウトの単位回路１５の繰り返しによって走査線駆動回路１０を構成することが出来る。ここで、殆ど同じという意味は、クロックが３相以上の場合、単位回路の場所によって、使用するクロックが異なるから、そのための配線が異なることがあるという意味である。
【００３９】
図１０は、図３に示す単位回路を本発明によってレイアウトした図である。図１０におけるトランジスタＴ１〜Ｔ１４は図３におけるＴ１〜Ｔ１４に対応している。図１０においては、クロック配線は、ＶＣＫ１〜ＶＣＫ４の４本あるが、単位回路では、ＶＣＫ２およびＶＣＫ４が使用され、ＶＣＫ４が図３におけるＧＣＫ１に、ＶＣＫ２が図３におけるＧＣＫ２に対応している。図１０において、Ｔ５と接続するＶＯＵＴ１が走査線に接続する。
【００４０】
図１０の特徴は、単位回路を構成するトランジスタＴ１〜Ｔ１４は同じ領域にまとまって配置され、単位回路に電源やクロックを供給するバス配線は、単位回路を挟んで両側にまとまって配置されていることである。図１０では、クロック配線ＶＣＫ１〜ＶＣＫ４およびＶＤＤは単位回路の左側にまとまって配置され、ＶＳＳ、ＲＥＳ、Ｖｃｏｍは単位回路の右側にまとまって配置されている。単位回路とバス配線とは、接続配線ＣＬによって接続されている。また、隣接する単位回路は、連結配線ＣＢによって接続されている。それら配線を単位回路の構成要件としてもよい。このように配置することによって、単位回路として同じ構成を使用することが出来る。
【００４１】
図１０において、図の右側が表示領域になる。つまり、単位回路およびこれと接続するバス配線群と、表示領域と、の間に幅の広いコモン配線Ｖｃｏｍが存在している。また、図１０における導電層３１１はＶｃｏｍとは別層に設けられたコモン電圧が供給される導電層である。尚、コモン配線Ｖｃｏｍと導電層３１１とを一体に形成してもよい。図１０のコモン配線Ｖｃｏｍ又は導電層と、表示領域との間には映像信号引出し線が設けられる場合があるが、走査線駆動回路と映像信号線引き出し線との間にＶＳＳおよびＶＣＯＭが配置されるので、映像信号と走査線駆動回路の干渉を防止することが出来る。
【００４２】
図１１、１２、１３は、図１における領域Ａ、Ｂ、Ｃに対応する走査線駆動回路における、バス配線Ｗ１〜Ｗ６と単位回路１５のレイアウト例である。図１１〜１３において、単位回路の左側には４本のクロック配線を含む６本のバス配線（配線群）Ｗ１〜Ｗ６配置している。また、単位回路の右側には幅の広いＶｃｏｍが配置している。図１１乃至図１３に示すように、領域Ａ、Ｂ、Ｃによって、バス配線Ｗ１〜Ｗ６のレイアウトは異なってくる。しかし、図１１乃至図１３の単位回路を同じ２つのクロック（Ｗ２およびＷ４が対応）で動作させる場合、コンタクトホール５０の配置を変えるだけで、完全に同じレイアウトの単位回路１５を使用することが出来る。また、単位回路とバス配線とを接続する接続配線ＣＬについても、同じレイアウトとすることが出来る。図１１において、バス配線は、第1の方向である、図中左右方向に延在、単位回路に近接する箇所で、第2の方向である、図中上下方向に延在している。図１２において、バス配線は第２の方向に延在している。図１３では、バス配線は図中左から、第１方向に延在し、第２方向に屈曲している。図１１と図１３とでは、一方の接続配線が、バス配線が屈曲している箇所において接続している。つまり、一つの接続配線とバス配線の一つとは、バス配線が第１の方向に延在し、かつ、第２の方向に延在する箇所において接続されている。これにより、単位回路のレイアウトを共通化し、かつ、接続配線のレイアウトを共通化したとしても、バス配線の引き回しを最適化することができる。尚、図１８に示しているように、単位回路とバス配線との、第１の方向における間隔をＬ１とＬ２とのように異ならせることも可能である。
【００４３】
本発明は、走査線駆動回路１０を駆動するための信号あるいは電源のバス配線をまとめて配置し、走査線駆動回路を構成する各単位回路の構成要素をまとめて配置することが特徴である。図１４〜図１６はまとめられたバス配線ＷＷと単位回路１５の配置の例である。図１４は、バス配線ＷＷを２つのバス配線群にまとめ、まとめられた単位回路１５を２つのバス配線群ＷＷの間に配置した例である。図１５は、バス配線ＷＷを１つのバス配線群にまとめ、まとめられた単位回路１５の左側に配置した例である。図１６は、バス配線ＷＷを１つのバス配線群にまとめ、まとめられた単位回路１５の右側に配置した例である。このように、本発明によれば、異形表示パネルにおいて、色々な形状の異形表示領域に合わせて容易に走査線駆動回路１０を配置することが出来るとともに、額縁領域を小さくすることが出来る。
【００４４】
以上は、図１に示す異形表示パネルについて説明したが、本発明は、図１の形状に限らず、例えば図１７に示すような別な形状の異形表示パネルについても適用することが出来る。また、本発明は、液晶表示装置の他、有機ＥＬ表示装置にも適用することが出来る。
【符号の説明】
【００４５】
１０…走査線駆動回路、  １１…走査線、  １５…単位回路、  ２０…セレクタ、  ３０…ＩＣドライバ、  ３１…映像信号線、  ５０…コンタクトホール、  １００…パネル端、  １５０…端子領域、    ＷＷ…バス配線群
【図１】
0006539567.tif 000002
【図２】
0006539567.tif 000003
【図３】
0006539567.tif 000004
【図４】
0006539567.tif 000005
【図５】
0006539567.tif 000006
【図６】
0006539567.tif 000007
【図７】
0006539567.tif 000008
【図８】
0006539567.tif 000009
【図９】
0006539567.tif 000010
【図１０】
0006539567.tif 000011
【図１１】
0006539567.tif 000012
【図１２】
0006539567.tif 000013
【図１３】
0006539567.tif 000014
【図１４】
0006539567.tif 000015
【図１５】
0006539567.tif 000016
【図１６】
0006539567.tif 000017
【図１７】
0006539567.tif 000018
【図１８】
0006539567.tif 000019